【手続補正書】
【提出日】平成28年9月21日(2016.9.21)
【手続補正１】
【補正対象書類名】明細書
【補正対象項目名】発明の名称
【補正方法】変更
【補正の内容】
【発明の名称】画像表示装置、画像表示方法、プログラム及び画像配信装置
【手続補正２】
【補正対象書類名】明細書
【補正対象項目名】０００１
【補正方法】変更
【補正の内容】
【０００１】
本発明は、合成表示画像を生成して表示する技術に関するものである。
【手続補正３】
【補正対象書類名】明細書
【補正対象項目名】０００６
【補正方法】変更
【補正の内容】
【０００６】
本発明は、かかる従来の課題に鑑みてなされたものであり、個人的な写真を用いた合成画像表示を実施することができる画像表示装置、画像表示方法、プログラム及び画像配信装置を提供することを目的とする。
【手続補正４】
【補正対象書類名】明細書
【補正対象項目名】０００７
【補正方法】変更
【補正の内容】
【０００７】
前記課題を解決するため、本発明の画像表示装置の一態様は、画像記憶手段に記録されている画像を処理対象の画像として、背景とすべき予め決められている色と形状とを有する背景用対象物を認識する認識手段と、前記認識手段により認識された前記背景用対象物に、画像情報を合成した合成表示画像を表示手段に表示させる表示制御手段と、を備える、ことを特徴とすることを特徴とする。
【手続補正５】
【補正対象書類名】明細書
【補正対象項目名】０００８
【補正方法】変更
【補正の内容】
【０００８】
また、前記課題を解決するため、本発明の画像表示方法の一態様は、画像記憶手段に記録されている画像を処理対象の画像として、背景とすべき予め決められている色と形状とを有する背景用対象物を認識する認識工程と、前記認識工程で認識した前記背景用対象物に、画像情報を合成した合成表示画像を表示手段に表示させる表示制御工程と、を含む、ことを特徴とする。
また、前記課題を解決するため、本発明のプログラムの一態様は、コンピュータを、画像記憶手段に記録されている画像を処理対象の画像として、背景とすべき予め決められている色と形状とを有する背景用対象物を認識する認識手段、前記認識手段により認識された前記背景用対象物に、画像情報を合成した合成表示画像を表示手段に表示させる表示制御手段、として機能させる、ことを特徴とする。
また、前記課題を解決するため、本発明の画像配信装置の一態様は、ネットワーク上に設けられ画像配信サービスを提供する画像配信装置であって、前記ネットワークを介して外部機器から送信された画像を、サービス利用者に対応付けて記憶する画像記憶手段と、前記画像記憶手段に記録されている画像を処理対象の画像として、背景とすべき予め決められている色と形状とを有する背景用対象物を認識する認識手段と、前記認識手段により認識された前記背景用対象物に、画像情報を合成した合成表示画像を、前記ネットワークを介して前記外部機器へ配信する配信手段と、を備える、ことを特徴とする。
【手続補正６】
【補正対象書類名】明細書
【補正対象項目名】０００９
【補正方法】変更
【補正の内容】
【０００９】
本発明によれば、個人的な写真を用いた合成画像表示を容易に実施することが可能となる。
【手続補正７】
【補正対象書類名】明細書
【補正対象項目名】００１３
【補正方法】変更
【補正の内容】
【００１３】
画像表示装置１は、主として制御部１１、プログラムメモリ１２、撮像部１３、画像処理部１４、画像記憶部１５、表示部１６、表示制御部１７、入力部１８の各部により構成される。
【手続補正８】
【補正対象書類名】明細書
【補正対象項目名】００６９
【補正方法】変更
【補正の内容】
【００６９】
また、本実施形態における写真登録処理では、被写体に時計ボードＢが含まれていない写真に時計ボードＢの画像を合成する際、その状態をユーザーの操作に応じて調整したが、時計ボードＢの画像は、予め決められた位置に、予め決められた大きさ、及び傾きで自動的に合成するようにしてもよい。
【手続補正９】
【補正対象書類名】明細書
【補正対象項目名】００７５
【補正方法】変更
【補正の内容】
【００７５】
画像配信装置５１は、インターネット上でサーバーとして機能するものであり、主として制御部５２、プログラム記憶部５３、利用者記憶部５４、通信Ｉ／Ｆ５５、通信制御部５６、画像記憶部５７の各部により構成される。
【手続補正１０】
【補正対象書類名】明細書
【補正対象項目名】００８２
【補正方法】変更
【補正の内容】
【００８２】
プログラム記憶部５３も、ハードディスク等の記憶装置により構成され、プログラム記憶部５３には、前述した制御プログラム５３ａの他に、画像配信プログラム５３ｂ、ボード認識プログラム５３ｃ、画像合成プログラム５３ｄが記憶されている。
【手続補正１１】
【補正対象書類名】特許請求の範囲
【補正対象項目名】全文
【補正方法】変更
【補正の内容】
【特許請求の範囲】
【請求項１】
画像記憶手段に記録されている画像を処理対象の画像として、背景とすべき予め決められている色と形状とを有する背景用対象物を認識する認識手段と、
前記認識手段により認識された前記背景用対象物に、画像情報を合成した合成表示画像を表示手段に表示させる表示制御手段と、
を備える、
ことを特徴とする画像表示装置。
【請求項２】
前記認識手段により認識された前記背景用対象物の画像内での状態を示す状態情報を取得する情報取得手段と、
前記処理対象の画像に基づく画像であって、前記認識手段により認識された前記背景用対象物に、前記画像情報を前記情報取得手段により取得された前記状態情報に応じて調整した状態で合成した前記合成表示画像を生成する生成手段と、
前記画像記憶手段に記憶されている複数の画像を所定時間毎に切り替えて前記処理対象の画像として設定する切替手段と、
を更に備え、
前記表示制御手段は、前記生成手段により生成された前記合成表示画像を前記表示手段に表示させる、
ことを特徴とする請求項１記載の画像表示装置。
【請求項３】
前記情報取得手段は、前記状態情報として前記背景用対象物の画像内での大きさ及び位置を含む複数の情報を取得する、
ことを特徴とする請求項２記載の画像表示装置。
【請求項４】
前記処理対象の画像には、撮影により取得されるとともに前記背景用対象物が被写体として存在する撮影画像が含まれる、
ことを特徴とする請求項１乃至３の何れか一項記載の画像表示装置。
【請求項５】
撮影により取得された撮影画像に、前記背景用対象物を構成する部分画像を合成する合成手段を備え、
前記処理対象の画像には、前記合成手段により前記部分画像が合成された後の前記撮影画像が含まれる、
ことを特徴とする請求項１乃至４の何れか一項記載の画像表示装置。
【請求項６】
前記合成手段は、撮影により取得された前記撮影画像に、前記背景用対象物を構成する前記部分画像を使用者に指示された状態で合成する、
ことを特徴とする請求項５記載の画像表示装置。
【請求項７】
前記画像情報は、現在時刻を示す情報であり、
前記生成手段は、前記認識手段により認識された前記背景用対象物に、前記現在時刻を示す前記画像情報を前記情報取得手段により取得された前記状態情報に応じて調整した状態で合成した時刻表示画像を生成し、
前記表示制御手段は、前記生成手段により生成された前記時刻表示画像を前記表示手段に表示させる、
ことを特徴とする請求項２記載の画像表示装置。
【請求項８】
前記生成手段は、前記時刻表示画像として、前記現在時刻を示す前記画像情報に時分を区切る文字を含む形態の文字列情報を使用した第１の時刻表示画像と、前記現在時刻を示す前記画像情報に前記時分を区切る文字を含まない形態の文字列情報を使用した第２の時刻表示画像と、からなる一組の時刻表示画像を生成し、
前記表示制御手段は、前記一組の時刻表示画像を秒毎に切り替えて前記表示手段に表示させる、
ことを特徴とする請求項７記載の画像表示装置。
【請求項９】
画像記憶手段に記録されている画像を処理対象の画像として、背景とすべき予め決められている色と形状とを有する背景用対象物を認識する認識工程と、
前記認識工程で認識した前記背景用対象物に、画像情報を合成した合成表示画像を表示手段に表示させる表示制御工程と、
を含む、
ことを特徴とする画像表示方法。
【請求項１０】
前記認識工程で認識された前記背景用対象物の画像内での状態を示す状態情報を取得する情報取得工程と、
前記認識工程で認識した前記背景用対象物に、前記画像情報を前記情報取得工程で取得した前記状態情報に応じて調整した状態で合成した前記合成表示画像を生成する生成工程と、
前記画像記憶手段に記憶されている複数の画像を所定時間毎に切り替えて前記処理対象の画像として設定する切替工程と、
を更に含み、
前記表示制御工程では、前記生成工程において生成された前記合成表示画像を前記表示手段に表示させる、
ことを特徴とする請求項９記載の画像表示方法。
【請求項１１】
コンピュータを、
画像記憶手段に記録されている画像を処理対象の画像として、背景とすべき予め決められている色と形状とを有する背景用対象物を認識する認識手段、
前記認識手段により認識された前記背景用対象物に、画像情報を合成した合成表示画像を表示手段に表示させる表示制御手段、
として機能させる、
ことを特徴とするプログラム。
【請求項１２】
前記コンピュータを、
前記認識手段により認識された前記背景用対象物の画像内での状態を示す状態情報を取得する情報取得手段、
前記処理対象の画像に基づく画像であって、前記認識手段により認識された前記背景用対象物に、前記画像情報を前記情報取得手段により取得された前記状態情報に応じて調整した状態で合成した前記合成表示画像を生成する生成手段、
前記画像記憶手段に記憶されている複数の画像を所定時間毎に切り替えて前記処理対象の画像として設定する切替手段、
として更に機能させ、
前記表示制御手段は、前記生成手段により生成された前記合成表示画像を前記表示手段に表示させる、
ことを特徴とする請求項１１記載のプログラム。
【請求項１３】
ネットワーク上に設けられ画像配信サービスを提供する画像配信装置であって、
前記ネットワークを介して外部機器から送信された画像を、サービス利用者に対応付けて記憶する画像記憶手段と、
前記画像記憶手段に記録されている画像を処理対象の画像として、背景とすべき予め決められている色と形状とを有する背景用対象物を認識する認識手段と、
前記認識手段により認識された前記背景用対象物に、画像情報を合成した合成表示画像を、前記ネットワークを介して前記外部機器へ配信する配信手段と、
を備える、
ことを特徴とする画像配信装置。
【請求項１４】
前記認識手段により認識された前記背景用対象物の画像内での状態を示す状態情報を取得する情報取得手段と、
前記処理対象の画像に基づく画像であって、前記認識手段により認識された前記背景用対象物に、前記画像情報を前記情報取得手段により取得された前記状態情報に応じて調整した状態で合成した前記合成表示画像を生成する生成手段と、
前記画像記憶手段に記憶されている複数の画像であって、同一の前記サービス利用者に対応付けられた複数の画像を、所定時間毎に切り替えて前記処理対象の画像として設定する切替手段と、
を更に備え、
前記配信手段は、前記生成手段により生成された前記合成表示画像を、前記ネットワークを介して前記外部機器へ配信する、
ことを特徴とする請求項１３記載の画像表示装置。
【手続補正１２】
【補正対象書類名】図面
【補正対象項目名】図７
【補正方法】変更
【補正の内容】
【図７】
2015064238.tif 000001
【手続補正１３】
【補正対象書類名】図面
【補正対象項目名】図８
【補正方法】変更
【補正の内容】
【図８】
2015064238.tif 000002